(57)【要約】【課題】洗練されたデザイン、比較的簡単な製造、患者の脈管構造を通じた柔軟かつ容易な案内、および機器の優れた制御を備えた、迅速で簡単な治療器具の送達装置が必要である。【解決手段】治療器具、特に血管閉塞器具もしくは塞栓コイルは、治療器具と噛み合う、分かれた方向性を有する歯部を備えたプルワイヤーを含む装置によって送達される。プルワイヤーはヘッドピースの開口部を貫通する。プルワイヤーが相対的に近位方向に動く場合、歯部は直線方向に動き、治療器具が歯部およびプルワイヤーから解放される。この状態で、治療器具は所望の管腔内位置に配備する準備が整う。【選択図】図１
2007216011.tif 000002
【特許請求の範囲】
【請求項１】
治療器具の管腔内送達のためのシステムにおいて、
管腔内配備のための細長いガイドチューブと、
前記ガイドチューブ内にスライド可能に配置される大きさおよび形状を持つ押し具であって、前記押し具は遠位端部を有する、前記押し具と、
近位端部および遠位端部を有する治療器具であって、前記治療器具の前記近位端部、および前記押し具の前記遠位端部は、これら端部の間の隣接位置で噛み合うように構成された、前記治療器具と、
前記隣接位置に設けられたヘッドピースであって、前記ヘッドピースは開口部を有する、前記ヘッドピースと、
前記ヘッドピースの前記開口部を通じて配置されたプルワイヤーであって、前記プルワイヤーは、近位端部および遠位端部を有し、前記プルワイヤーは、前記プルワイヤーの前記遠位端部に存在する、少なくとも１つの歯部をさらに有し、前記歯部は、ほぼ直線方向、および、前記歯部が前記治療器具と噛み合う、分かれる方向、を有する、前記プルワイヤーと、
を備え、
前記プルワイヤーが前記ヘッドピースを通じて近位方向に動く場合、前記歯部が前記分かれる方向から前記ほぼ直線方向へと動き、これによって前記治療器具から前記歯部を外すように、前記プルワイヤーおよび前記開口部が互いに対する大きさおよび形状を有する、
システム。
【請求項２】
請求項１に記載のシステムにおいて、
前記ヘッドピースは、前記治療器具の構成要素であり、前記治療器具の前記近位端部に配置される、システム。
【請求項３】
請求項１に記載のシステムにおいて、
前記ヘッドピースは、前記押し具の構成要素であり、前記押し具の前記遠位端部に配置される、システム。
【請求項４】
請求項１に記載のシステムにおいて、
前記治療器具は、塞栓コイルである、システム。
【請求項５】
請求項１に記載のシステムにおいて、
前記プルワイヤーの前記歯部は、形状記憶合金で形成される、システム。
【請求項６】
請求項１に記載のシステムにおいて、
前記プルワイヤーの前記歯部は、ニチノールで形成される、システム。
【請求項７】
請求項１に記載のシステムにおいて、
前記歯部は、前記プルワイヤーの残余部分で一体的に形成される、システム。
【請求項８】
請求項１に記載のシステムにおいて、
それぞれ実質的に同じ長さである２つ以上の前記歯部を備えた、システム。
【請求項９】
請求項８に記載のシステムにおいて、
前記歯部は、実質的に同じ方向に分かれている、システム。
【請求項１０】
請求項１に記載のシステムにおいて、
前記歯部は、前記歯部が、前記ほぼ直線方向に位置した後、前記分かれる方向に戻るように、弾力性を有する、システム。
【請求項１１】
治療器具の管腔内送達のための装置において、
管腔内送達のための大きさおよび形状を持つ押し具であって、前記押し具は遠位端部を有する、前記押し具と、
近位端部および遠位端部を有する治療器具であって、前記治療器具の前記近位端部、および前記押し具の前記遠位端部は、これら端部の間の隣接位置で噛み合うように構成された、前記治療器具と、
前記隣接位置のヘッドピースであって、前記ヘッドピースは開口部を有する、前記ヘッドピースと、
前記ヘッドピースの前記開口部を通じて配置されたプルワイヤーであって、前記プルワイヤーは、近位端部および遠位端部を有し、前記プルワイヤーは、前記プルワイヤーの前記遠位端部に存在する、少なくとも１つの歯部をさらに有し、前記歯部は、ほぼ直線方向、および、前記歯部が前記治療器具と噛み合う、分かれる方向、を有する、前記プルワイヤーと、
を備え、
前記プルワイヤーが前記ヘッドピースを通じて近位方向に動く場合、前記歯部が前記分かれる方向から前記ほぼ直線方向へと動き、これによって前記治療器具から前記歯部を外すように、前記プルワイヤーおよび前記開口部は互いに対する大きさおよび形状を有する、
装置。
【請求項１２】
治療器具の管腔内送達のための装置において、
近位端部および遠位端部を有する治療器具であって、前記治療器具の前記近位端部は、ヘッドピースを有し、前記ヘッドピースは、貫通した開口部を有する、前記治療器具と、
前記ヘッドピースの前記開口部を通じて配置されたプルワイヤーであって、前記プルワイヤーは、近位端部および遠位端部を有し、前記プルワイヤーは、前記プルワイヤーの前記遠位端部に存在する、少なくとも１つの歯部をさらに有し、前記歯部は、ほぼ直線方向、および、前記歯部が前記治療器具と噛み合う、分かれる方向、を有する、前記プルワイヤーと、
を備え、
前記プルワイヤーが前記ヘッドピースを通じて近位方向に動く場合、前記歯部が前記分かれる方向から前記ほぼ直線方向へと動き、これによって前記治療器具から前記歯部を外すように、前記プルワイヤーおよび前記開口部は互いに対する大きさおよび形状を有する、
装置。
【発明の詳細な説明】
【開示の内容】
【０００１】
http://www.ne.jp/asahi/patent/toyama/jitsumu/m_shousai2.htm
【０００２】
〔発明の分野〕
本発明は概して、哺乳類の脈管構造への治療器具の送達に関する。本開示は、所望の位置に治療器具を正確かつ迅速に送達する装置および方法を説明するものである。
【０００３】
〔発明の背景〕
脈管構造に治療器具を挿入して位置させるためのカテーテルの使用は、様々な状況に対して広く利用される治療方法となった。このような器具は、頭部の狭い血管のようなこれまでの方法では困難な治療領域において特に有益である。例えば、塞栓コイルもしくはワイヤーのような血管閉塞装置が、血流を止めるために動脈瘤の部位に挿入される。減少した血流は、動脈瘤への圧力を減じ、動脈瘤の破裂の危険性を減ずる。コイルはまた血栓形成の促進も行う。塞栓コイルおよびワイヤーは、血管をより一層閉塞するために異なる形状であってもよい。コイルは、血栓形成性を高める様々な物質でコートされてもよい。米国特許第6,723, 108号は、塞栓コイルの異なる形状におけるいくつかの特徴を開示している。本明細書で特定する本特許および他の全ての特許および引例は個々に参照して本願に組み込む。
【０００４】
カテーテルの使用方法は、通常、患者の脈管構造にカテーテルの遠位端を挿入し、これを所定の送達部位に案内することを含む。塞栓コイルのような治療器具は、治療器具の操作に使用可能なワイヤーなどの押し具の遠位端に取り付けられる。例えばワイヤーは、カテーテルを通じてコイルを押し、送達部位にこの遠位端を押し出すために用いられる。その後コイルは押し具から解放される。いくつかの小さな寸法の血管には、押し具からコイルを解放する、複雑な設備を必要としない、扱いやすい機構が必要である。また、この解放は、決められた部位において、正確かつ迅速に治療器具を配置しなければならない。コイルの解放に関する問題として、コイルが所望の部位を超過したりもしくは事前に配備したコイルを除去したりさせる、送達カテーテルから出るコイルの力を含む。
【０００５】
上記の問題に対して、多くの器具および解放機構が、迅速な解放もしくは正確な位置で器具を解放する離脱機構を備えた送達システムを提供する意図を持って開発された。このような装置の１つは、光ファイバーの先端に取り付けたコネクター器具を備えた光ファイバーケーブルを示す、ジェレミア他（Geremia et al.）による米国特許第5,108,407号に開示されている。塞栓コイルは解除式加熱接着剤（a heat releasable adhesive）によってコネクター器具に取り付けられる。コネクター器具の温度を上げるため、レーザー光が光ファイバーケーブルを通じて伝えられ、それによって接着剤を溶かして塞栓コイルを解放する。この種のシステムの使用における１つの欠点は、血流に悪影響を及ぼす接着剤の溶解の潜在的リスクである。
【０００６】
さらに、送達システムを配置する他の塞栓コイルは、サアダト他（Saadat et al.）の米国特許第5,989,242号に開示され、カテーテルの遠位端に取り付けられた形状記憶合金のコネクターを有するカテーテルがある。このコネクターは、温度変化に反応する、離間した一対の指部を有するソケットを含む。指部は互いに向かい合う方向に曲がって塞栓コイルの端部に接続されたボールを保持する。コネクターは、光ケーブルを通じて送られたレーザー光を吸収し、この光を熱エネルギーに変換する。熱エネルギーはコネクターの温度を上昇させて指部を開かせ、これによって塞栓コイルを解放する。この種のボールソケット結合は剛体で、カテーテルの動きを悪くし、患者の脈管構造を通じてカテーテルを案内することを困難にする。
【０００７】
本発明に沿って、洗練されたデザイン、比較的簡単な製造、患者の脈管構造を通じた柔軟かつ容易な案内、および機器の優れた制御を備えた、迅速で簡単な治療器具の送達装置の必要性が認められている。
【０００８】
〔発明の概要〕
本発明の実施例によれば、この装置は、遠位端にある少なくとも１つの歯部（tine）を有するプルワイヤーからなる。プルワイヤーは、治療器具を操作するために使用される。歯部は、プルワイヤーが治療器具の位置を操作するために使用されうるように、治療器具と噛み合うことができる。歯部は、治療器具と噛み合うために、分かれた、もしくは展開された構造を持つ。本発明に関するシステムにおいて、プルワイヤーおよび治療器具は、カテーテルのようなガイドチューブに入れられることができる。プルワイヤーとの噛み合わせから治療器具を解放するために、プルワイヤーとヘッドピースの間の相対的な動きにより、プルワイヤーがヘッドピースの開口部を通じて引っ張られる。開口部の大きさによって、歯部を、概して直線状、もしくは折りたたまれた、あるいは展開されていない形状にして、歯部が、治療器具から外され、管腔内配備の準備をする。
【０００９】
塞栓コイルのような血管閉塞器具は、本装置とともに使用可能な１つの好ましい治療器具を表す。
【００１０】
歯部は、双方の長さおよび数を変えることができる。歯部は例えば、材料の端部を裂いてプルワイヤーを形成するために使用する材料と同じ一部から形成されることが可能である。これとは別に、歯部は、同じもしくは異なる材料で形成されてもよく、プルワイヤーの遠位端に取り付けられる。歯部は弾力性のある材料で形成されてもよい。形状記憶金属は好ましい材料である。
【００１１】
ヘッドピースは、プルワイヤーと噛み合ってスライドするドローダウン（draw-down）開口部を備える。ヘッドピースは、治療器具の近位端もしくはガイドチューブの遠位端のいずれかに取り付けられる。
【００１２】
本発明の一般的な特徴は、患者に治療器具を送達するための送達装置およびその使用方法を提供することである。
【００１３】
本発明の他の特徴および目的は、血管閉塞器具の管腔内送達のために、特に頭蓋内に用いる、最少移動部品を有した、改良されたシステムおよび方法を提供することである。
【００１４】
本発明の他の特徴、目的および利点は、特に、本願に開示された様々な特徴の開示および非開示の組み合わせを含む、本発明の好ましい実施例、および添付の図面に示された関連する情報によって、以下の説明から理解されるであろう。
【００１５】
本発明における好ましい実施例の説明において、参照記号が添付図面に記される。
【００１６】
〔好適な実施例の説明〕
本発明の詳細な実施例を必要に応じてここで説明するが、開示された実施例は、単に本発明の模範的な実施例であり、様々な形状で実現可能であることを理解すべきである。したがって、本明細書に開示された特定の詳細は、限定的として解釈されるべきでなく、実質的に適切な方法で本発明を様々に利用するための、単なるクレームの基礎として、また当業者に教示する代表的な基礎として理解すべきである。
【００１７】
図１〜３に示すように、本開示は総じて１１で示す塞栓コイルのような治療器具の送達および解放を提供する。これは好ましい実施例としてここで示した器具、システムおよび方法において具体化される。
【００１８】
１つの実施例では、本発明は、プルワイヤー１２の遠位端に１つ以上の歯部１３および１４を有する、総じて１２で示すプルワイヤーからなる。個々の歯部は、分かれた非線形のもしくは展開された状態の形状をなすことができる。図１に示すように、１つ以上の歯部は、脈管構造内部の所望の位置に治療器具を動かすために、治療器具を掴むようにこの分かれの構造で治療器具１１と噛み合う。例えば、図１に示すように、個々の歯部は、塞栓コイルの１つ以上の巻き１５と絡み合わせる、もしくは、塞栓コイルの１つ以上の巻き１５の間に挟むことによって、および、塞栓コイルの１つ以上の巻き１５に対して押すことによって、塞栓コイルと噛み合ってもよい。２つの歯部１３および１４が設けられると、治療器具と噛み合う場合にそれらは互いにＶ状をなす。その後、図示された塞栓コイルのような、噛み合わされた治療器具１１は、プルワイヤー１２を動かすことによって、操作されることが可能である。
【００１９】
図１に示すように、プルワイヤー１２および治療器具１１は、治療器具およびプルワイヤーを案内し配置させるため、カテーテルのようなガイドチューブ２１に入れられてもよい。押し具２２が設けられ、ガイドチューブ２１内部にスライド可能に配置される。患者の体内における所望位置で、ガイドチューブ２１およびプルワイヤー１２は（治療器具に噛み合わされた状態で）、お互い相対的に移動する。動脈瘤のような患者内部の所望位置に治療器具が配置されるように、ガイドチューブが後退させられるか、もしくは治療器具１１がチューブの外に押し出される。
【００２０】
治療器具をプルワイヤーから解放するために、プルワイヤー１２と押し具２２との間の相対的な動きを生じさせる。１つの方法によれば、患者の体外にある、プルワイヤーの近位端部（図示せず）は通常、患者の体外のガイドチューブ２１の近位端を超えて近位方向に引かれる。これは、プルワイヤーが治療器具から完全に外れるまで継続する。他の方法によれば、プルワイヤーは、相対的に静止したままで、押し具２２は遠位方向に動かされ、これによって、治療器具をスライドさせてプルワイヤーから外すように、治療器具を遠位方向に動かす。
【００２１】
いずれかの方法で、個々の歯部は治療器具から外され、ヘッドピース２４の開口部２３の外側を通じて図２に示す位置と同様の位置にスライドさせられる。相対的なプルワイヤーの動きが近位方向に継続されると、個々の歯部１３は、ほぼ直線方向（straight-line orientation）に付勢され、図２に示されている直線状にする効果は、開口部を貫通する場合に、十分に展開されていない、もしくは折りたたまれた形状として参照することが可能な、プルワイヤー１２の軸に沿うかもしくはその軸と平行な長さ方向軸を有するよう、全ての歯部が事実上直線状になるまで継続する。
【００２２】
図１に示された実施例において、ヘッドピース２４は塞栓器具１１の部品であり、コイル１５の近位端２５で、コイルに取り付けられる。図２に示す実施例では、ヘッドピース３４は実施例の押し具本体３２に固定される。図示された塞栓器具３１はヘッドピース型の構成要素を持たず、基本的にはコイルとすることができる。他の近位端の構成要素（図示せず）は、塞栓器具３１の一部であってもよく、このような塞栓器具のコイルとともに配備される。いずれの方法においても個々の歯部１３は、ヘッドピース２４および３４を外すまで開口部２３を通じて近位方向にスライドする。
【００２３】
図３では、個々の歯部１３が塞栓器具１１から完全に外れた状態を示す。プルワイヤー１２およびガイドチューブ２１は引き抜かれ、所望の位置にコイルが置かれる。図３に示すように歯部が治療器具およびヘッドピースから外れると、歯部が開口部２３を通る時になった直線状の形状から、展開し、分かれた形状に再度なることができる。
【００２４】
さらに、図２に示された別の実施例を参照すると、開口部２３を有するヘッドピース３４は、当業者に知られる適切な手段により、押し具２２ａの遠位端に取り付けられる。あるいはその代わりに、ヘッドピース３４および押し具本体３２は、一体形成される。個々の歯部は、図１の実施例に示すように、治療器具と噛み合っている。また、図１の実施例に示すように、個々の歯部は、押し具および／もしくはガイドチューブを通じて近位方向にプルワイヤーを引くような、プルワイヤー１２とヘッドピースの間の相対的な動きによって、治療器具から外される。所望の位置に塞栓器具３１が置かれると、プルワイヤー、およびヘッドピースを有する押し具本体３２は、患者の体内から引き出される。
【００２５】
１つの実施例において、個々の歯部は、例えば、プルワイヤーを作るロッド等の遠位端を割ることによって、プルワイヤーを加工するために使用する材料と同じ一部から形成される。この種の一体構造は、比較上の簡易性のために好まれる。また、一体構造による方法は、歯部のプルワイヤーへの取り付けの失敗の可能性を回避するので、好ましい。歯部は、材料の別個の部品から形成され、当業者に知られる手段によりプルワイヤーに固定されるような、以下のプルワイヤーは別の実施例とすべきである。
【００２６】
これまで言及したように、１つ以上の歯部１３および１４はプルワイヤー１２の遠位端部に備えられることができる。図示された好ましい実施例においては、２つの歯部は図１に示すような分かれの形状の場合、ほぼ同じ長さで、ほぼ同じ角度プルワイヤーの長さ方向軸から分かれている。別の実施例によると、単一の歯部がしっかり噛み合って塞栓器具を保持する限り、単一の歯部のみを設けることが可能である。また、複数の歯部もまた、異なる大きさもしくは長さであってもよく、異なる範囲にプルワイヤーの縦軸から分かれてもよい。さらに、同一の大きさおよび方向（orientation）の２つの歯部より大きくてもよく、もしくは前述したバリエーションを備えていてもよい。
【００２７】
個々の歯部の材料は適切な形状特性を有することが必要なので、歯部は、使用時、分かれた非直線形状となり、治療器具と噛み合う場合は適切な保持力を備えるための条件において、分かれた非直線形状のままである。歯部はまた、開口部２４を通じて動くように、歯部に加える横向きの力に応じて直線方向に容易に動くように十分柔軟であるべきである。一方、必須ではないが、（図３に図示されているように）歯部がまた、分かれる方向（offset orientation）に「スプリングバック」するように弾力性を有することを、歯部の特性とすることができる。後者の特徴が必要な場合、個々の歯部は弾力性材料、もしくは、典型的には温度のバリエーションに関連する、形状記憶特性を有する材料で形成さてもよい。
【００２８】
弾力性材料の例として、ステンレススチールのバネ、もしくは体内の使用に適した他の弾力性材料を含む。個々の歯部は、形状記憶を有する材料、典型的には適切な特性を備えた金属もしくは金属合金あるいは高分子化合物から形成されることができる。ニチノール合金は素晴らしい形状記憶特性を有し、好ましい金属もしくは合金である。
【００２９】
ニチノールのような合金が、低温、この場合では人間の体温よりも低い低温、である場合に、プルワイヤーは、個々の歯部がほぼ直線もしくは展開されていない形状であるように形成される。体温に近い一層高い温度である場合は、個々の歯部は分かれた方向にある。この形状とともに、プルワイヤーは典型的に、室温以下の場合、ヘッドピースの開口部を通じて組み立てられ、歯部が開口部を通じて容易に入れられることで、装置の製造を容易にする。歯部が転移温度より高い温度にさらされる場合、個々の歯部は展開状態になり、コイルと噛み合う。器具が患者に配置される場合の体温で、この展開状態は維持される。ニチノールのような形状記憶材料のための、マルテンサイト相とオーステナイト相の間の好ましい転移温度の範囲は、１０〜３５℃である。
【００３０】
プルワイヤーと歯部が一体形成されない場合、これらは異なる材料で形成されることができる。この場合は、歯部の近位のプルワイヤーの全長が、本明細書で説明した歯部と、同じ特性を有する必要はない。プルワイヤー、もしくは歯部の全て、もしくは一部は、Ｘ線不透過特性を有することが好ましい。
【００３１】
説明した本発明の実施例は、本発明の原理を適用した実施例の一部であることを理解すべきである。本発明の真の精神および範囲から逸脱することなしに、多くの変更が当業者によって実施されてもよい。ここで説明した様々な特徴は、いかなる組み合わせにおいても利用可能であり、ここで特に参照した組合せを得るために限定されるものではない。
【００３２】
〔実施の態様〕
（１）治療器具の管腔内送達のためのシステムにおいて、
管腔内配備のための細長いガイドチューブと、
前記ガイドチューブ内にスライド可能に配置される大きさおよび形状を持つ押し具であって、前記押し具は遠位端部を有する、前記押し具と、
近位端部および遠位端部を有する治療器具であって、前記治療器具の前記近位端部、および前記押し具の前記遠位端部は、これら端部の間の隣接位置で噛み合うように構成された、前記治療器具と、
前記隣接位置に設けられたヘッドピースであって、前記ヘッドピースは開口部を有する、前記ヘッドピースと、
前記ヘッドピースの前記開口部を通じて配置されたプルワイヤーであって、前記プルワイヤーは、近位端部および遠位端部を有し、前記プルワイヤーは、前記プルワイヤーの前記遠位端部に存在する、少なくとも１つの歯部をさらに有し、前記歯部は、ほぼ直線方向、および、前記歯部が前記治療器具と噛み合う、分かれる方向、を有する、前記プルワイヤーと、
を備え、
前記プルワイヤーが前記ヘッドピースを通じて近位方向に動く場合、前記歯部が前記分かれる方向から前記ほぼ直線方向へと動き、これによって前記治療器具から前記歯部を外すように、前記プルワイヤーおよび前記開口部が互いに対する大きさおよび形状を有する、
システム。
（２）実施態様１に記載のシステムにおいて、
前記ヘッドピースは、前記治療器具の構成要素であり、前記治療器具の前記近位端部に配置される、システム。
（３）実施態様１に記載のシステムにおいて、
前記ヘッドピースは、前記押し具の構成要素であり、前記押し具の前記遠位端部に配置される、システム。
（４）実施態様１に記載のシステムにおいて、
前記治療器具は、塞栓コイルである、システム。
（５）実施態様１に記載のシステムにおいて、
前記プルワイヤーの前記歯部は、形状記憶合金で形成される、システム。
（６）実施態様１に記載のシステムにおいて、
前記プルワイヤーの前記歯部は、ニチノールで形成される、システム。
（７）実施態様１に記載のシステムにおいて、
前記歯部は、前記プルワイヤーの残余部分で一体的に形成される、システム。
（８）実施態様１に記載のシステムにおいて、
それぞれ実質的に同じ長さである２つ以上の前記歯部を備えた、システム。
（９）実施態様８に記載のシステムにおいて、
前記歯部は、実質的に同じ方向に分かれている、システム。
（１０）実施態様１に記載のシステムにおいて、
前記歯部は、前記歯部が、前記ほぼ直線方向に位置した後、前記分かれる方向に戻るように、弾力性を有する、システム。
【００３３】
（１１）治療器具の管腔内送達のための装置において、
管腔内送達のための大きさおよび形状を持つ押し具であって、前記押し具は遠位端部を有する、前記押し具と、
近位端部および遠位端部を有する治療器具であって、前記治療器具の前記近位端部、および前記押し具の前記遠位端部は、これら端部の間の隣接位置で噛み合うように構成された、前記治療器具と、
前記隣接位置のヘッドピースであって、前記ヘッドピースは開口部を有する、前記ヘッドピースと、
前記ヘッドピースの前記開口部を通じて配置されたプルワイヤーであって、前記プルワイヤーは、近位端部および遠位端部を有し、前記プルワイヤーは、前記プルワイヤーの前記遠位端部に存在する、少なくとも１つの歯部をさらに有し、前記歯部は、ほぼ直線方向、および、前記歯部が前記治療器具と噛み合う、分かれる方向、を有する、前記プルワイヤーと、
を備え、
前記プルワイヤーが前記ヘッドピースを通じて近位方向に動く場合、前記歯部が前記分かれる方向から前記ほぼ直線方向へと動き、これによって前記治療器具から前記歯部を外すように、前記プルワイヤーおよび前記開口部は互いに対する大きさおよび形状を有する、
装置。
（１２）実施態様１１に記載の装置において、
前記ヘッドピースは、前記治療器具の構成要素であり、前記治療器具の前記近位端部に配置される、装置。
（１３）実施態様１１に記載の装置において、
前記ヘッドピースは、前記押し具の構成要素であり、前記押し具の前記遠位端部に配置される、装置。
（１４）実施態様１１に記載の装置において、
前記治療器具は、塞栓コイルである、装置。
（１５）実施態様１１に記載の装置において、
前記プルワイヤーの前記歯部は、形状記憶合金で形成される、装置。
（１６）治療器具の管腔内送達のための装置において、
近位端部および遠位端部を有する治療器具であって、前記治療器具の前記近位端部は、ヘッドピースを有し、前記ヘッドピースは、貫通した開口部を有する、前記治療器具と、
前記ヘッドピースの前記開口部を通じて配置されたプルワイヤーであって、前記プルワイヤーは、近位端部および遠位端部を有し、前記プルワイヤーは、前記プルワイヤーの前記遠位端部に存在する、少なくとも１つの歯部をさらに有し、前記歯部は、ほぼ直線方向、および、前記歯部が前記治療器具と噛み合う、分かれる方向、を有する、前記プルワイヤーと、
を備え、
前記プルワイヤーが前記ヘッドピースを通じて近位方向に動く場合、前記歯部が前記分かれる方向から前記ほぼ直線方向へと動き、これによって前記治療器具から前記歯部を外すように、前記プルワイヤーおよび前記開口部は互いに対する大きさおよび形状を有する、
装置。
（１７）実施態様１６に記載の装置において、
前記治療器具は、塞栓コイルである、装置。
（１８）実施態様１７に記載の装置において、
少なくとも２つの前記歯部を備え、前記プルワイヤーおよび前記歯部が形状記憶合金で一体的に形成される、装置。
【００３４】
（１９）治療器具を腔内送達するための方法において、
ａ）治療器具の前記送達のための装置を準備する工程であって、
前記装置は、
近位および遠位端部を有する治療器具、
近位および遠位端部を備えるプルワイヤー、
前記プルワイヤーの前記遠位端部に存在する少なくとも１つの歯部、
前記プルワイヤーを受け入れるための開口部を備えるヘッドピース、
を備え、
前記歯部は、前記歯部が前記治療器具と噛み合う、分かれる方向、を持つ、
工程と、
ｂ）前記装置を所望の管腔内位置に案内する工程と、
ｃ）前記プルワイヤーと前記ヘッドピースとの間の相対的な動きを発生させ、これによって、前記プルワイヤーの相対的な動きが近位端方向になって、前記歯部を前記分かれる方向からほぼ直線の歯部方向へと動かし、前記歯部を前記治療器具から外し、前記治療器具を前記所望の管腔内位置に配備する、工程と、
ｄ）前記治療器具を前記所望の配備された管腔内位置に配置したまま、前記プルワイヤーを管腔内で取り除く工程と、
を備えた、方法。
（２０）実施態様１９に記載の方法において、
前記治療器具は、血管閉塞用である、方法。
（２１）実施態様１９に記載の方法において、
前記準備する工程は、前記歯部および前記プルワイヤーを一体的に形成する工程を備えた、方法。
（２２）実施態様１９に記載の方法において、
前記発生させる工程は、前記ヘッドピースに対する前記プルワイヤーの前記動きに応じて、前記治療器具の近位方向に方向付けられた動きを妨げるように、押し具を管腔内配置する工程を備えた、方法。
【図面の簡単な説明】
【００３５】
【図１】本発明の好ましい実施例における、治療器具の送達装置もしくはシステムの斜視図である。この図において、塞栓コイルと噛み合う２本の歯部が示されている。
【図２】他の実施例の断面図であり、２本の歯部およびプルワイヤーが治療器具から外すために引かれている状態を示す。
【図３】図１に示したシステムの断面図であり、２本の歯部とプルワイヤーが治療器具から完全に外れた状態を示す。
【図１】
2007216011.tif 000003
【図２】
2007216011.tif 000004
【図３】
2007216011.tif 000005
【外国語明細書】
2007216011000001.pdf